(57)【要約】【課題】所望の印刷が成された少量の化粧箱や蓋を得るとともに、蓋の側壁にまで印刷された場合においても、その側壁を覆うことなく粘着テープを用いて貼付する。【解決手段】箱用印刷用紙１０は、印刷可能であって所定の規格の外形を有する用紙本体１１に、展開された化粧箱又は蓋１２の周縁を描く切取線１３が描出される。切取線１３が、方形の天壁２３と、前記天壁２３の四側縁から折目２４ａ，２５ａ，２６ａ，２７ａを介して連設された前後左右の側壁２４，２５，２６，２７と、その前後左右の側壁の上縁から折目３１ａ，３２ａ，３３ａ，３４ａを介して更に連設された前後左右の折り返し片３１，３２，３３，３４とを少なくとも備えた蓋２２の展開された周縁を描く。前後又は左右の折り返し片３１，３２に、前後又は左右の側壁２４，２５に連続する連続部３１ｂ，３２ｂを構成する切り込み３９が形成される。【選択図】  図１
2020019487.tif 000002
【特許請求の範囲】
【請求項１】
印刷可能であって所定の規格の外形を有する用紙本体(11)に、展開された化粧箱又は蓋(12)の周縁を描く切取線(13)が描出されたことを特徴とする箱用印刷用紙。
【請求項２】
切取線(13)が、方形の天壁(23)と、前記天壁(23)の四側縁から折目(24a,25a,26a,27a)を介して連設された前後左右の側壁(24,25,26,27)と、前記前後左右の側壁(24,25,26,27)の上縁から折目(31a,32a,33a,34a)を介して更に連設された前後左右の折り返し片(31,32,33,34)とを少なくとも備えた蓋(22)の展開された周縁を描く請求項１記載の箱用印刷用紙。
【請求項３】
前後又は左右の折り返し片(31,32)に、前後又は左右の側壁(24,25)に連続する連続部(31b,32b)を構成する切り込み(39)が形成された請求項２記載の箱用印刷用紙。
【請求項４】
請求項２又は３記載の箱用印刷用紙(10)に所定の印刷を行う印刷工程と、
印刷後の前記箱用印刷用紙(10)から切取線(13)を切断して展開された蓋(12)を分離させる分離工程と、
分離された前記展開された蓋(12)を組立てて天壁(23)の周囲から前記天壁(23)と直交して前記天壁(23)を包囲する様に設けられた前後左右の側壁(24,25,26,27)を有する蓋(22)を得る組立て工程と
を有する組箱の蓋の製造方法。
【請求項５】
印刷工程が、インクジェットプリンタ又はレーザプリンタにより行われる請求項４記載の組箱の蓋の製造方法。
【請求項６】
印刷工程において請求項３記載の箱用印刷用紙(10)が用いられ、
組立て工程において前後又は左右の折り返し片(31,32)の切り込み(39)により包囲される一部を切り起こして前後又は左右の側壁(24,25)と同一面において前記前後又は左右の側壁(24,25)に連続する連続部(31b,32b)を形成する請求項４又は５記載の組箱の蓋の製造方法。
【請求項７】
方形の天壁(23)と、前記天壁(23)の四側縁から前記天壁(23)と直交して前記天壁(23)を包囲する様に立ち上げられた前後左右の側壁(24,25,26,27)と、前記前後左右の側壁(24,25,26,27)の上縁から折り返されて前記前後左右の側壁(24,25,26,27)に重合するように折り曲げられた前後左右の折り返し片(31,32,33,34)とを備える組箱の蓋において、
前後又は左右の折り返し片(31,32)の一部が切り起こされて前記前後又は左右の側壁(24,25)と同一面において前記前後又は左右の側壁(24,25)に連続する連続部(31b,32b)が形成されたことを特徴とする組箱の蓋。
【発明の詳細な説明】
【技術分野】
【０００１】
本発明は、小ロットの印刷された化粧箱又は蓋を得るのに適した箱用印刷用紙それを用いた組箱の蓋の製造方法並びに組箱の蓋に関するものである。
【背景技術】
【０００２】
近年、子どもや孫の誕生日や七五三の祝いや結婚式等の祝事において、贈答品を送る習慣がある。この贈答品を贈る際に、贈呈人に対してメッセージを贈答品と一緒に送る習慣もある。このメッセージを送る方法としては、贈答品と一緒にメッセージカードを添付することが行われる。
【０００３】
一方、贈答品を頂いた方にあっては、贈答品を贈られた方に対して、お返しを贈る慣習もある。そのお返しを贈る側としては、自身の子どもや孫の誕生あるいは七五三、結婚など、人生の節目に際し、思い出の品や写真等を添付するようなことも行われる。
【０００４】
しかし、贈答品と一緒にメッセージカードや思い出の品や写真等を添付して化粧箱や組箱に入れた場合には、メッセージカードや思い出の品や写真等と贈答品とが別々に詰められるので、贈答品と別に添付されるメッセージカードや思い出の品や写真等を紛失しやすい欠点がある。
【０００５】
この欠点を補うために、組箱の蓋の表面に写真を直接貼付することや（例えば、特許文献１参照。）、その蓋に設けられた写真や文字等を覆う扉部を設けること（例えば、特許文献２参照。）が提案されている。このように、写真やメッセージ等の文字を蓋に直接設けることによりそれらの紛失を防止して、贈答品を詰める印象的な箱を提供できるとしている。
【先行技術文献】
【特許文献】
【０００６】
【特許文献１】実用新案登録第３０７８４５４号
【特許文献２】実開平７−２１５２２号公報
【発明の概要】
【発明が解決しようとする課題】
【０００７】
しかし、組箱の蓋に写真やメッセージシートなどを貼付するためには、贈答品を詰めるものであることからすると、蓋の正規の位置に正確に貼付する必要が生じ、正確に貼付する作業が比較的困難であるという未だ解決すべき課題が残存していた。また、その蓋に設けられた写真や文字等を覆う扉部を設けることは、蓋の構造を複雑にして、その単価を押し上げる不具合もある。
【０００８】
このような不具合を解消する為には、メッセージや写真等を、贈答品を入れる箱に直接印刷してしまうことが考えられる。
【０００９】
しかしながら、このような従来の化粧箱や蓋において、所望の印刷が成されたものを得ようとする場合には、専用の印刷機械を使用して、所望の印刷が成されたシート状の印刷物を所定の抜き型で打ち抜いた後に組立てるという工程を経る。
【００１０】
このように、専用の印刷機や専用の抜き型を用いることから、印刷所に大量ロットの注文をせざるを得ず、個人用に所望の印刷が成された少量の化粧箱や組箱を得ることは事実上難しい問題があった。
【００１１】
一方、贈答品を収容する箱が、上端開口部を有し、その上端開口部を介して贈答品が収容される箱部と、その箱部の上端開口部を覆う蓋とを有する組箱である場合において、その蓋にメッセージや写真等が印刷可能である場合には、その蓋を粘着テープ等を用いて箱部に貼付することにより、その組箱を更に包む包装を省くことが考えられる。
【００１２】
けれども、蓋の側壁にまで印刷を行った場合に、その側壁に粘着テープを貼付することは、印刷面を粘着テープにおいて覆うことに成り、好ましくない。
【００１３】
本発明の目的は、所望の印刷が成された少量の化粧箱や蓋を容易に得ることのできる箱用印刷用紙及びそれを用いた組箱の蓋の製造方法を提供することにある。
【００１４】
本発明の別の目的は、蓋の側壁にまで印刷された場合においても、その側壁を覆うことなく粘着テープを用いて箱部に貼付することのできる箱用印刷用紙及びそれを用いた組箱の蓋の製造方法並びに組箱の蓋を提供することにある。
【課題を解決するための手段】
【００１５】
本発明は、印刷可能であって所定の規格の外形を有する用紙本体に、展開された化粧箱又は蓋の周縁を描く切取線が描出された箱用印刷用紙である。
【００１６】
この切取線は、方形の天壁と、天壁の四側縁から折目を介して連設された前後左右の側壁と、前後左右の側壁の上縁から折目を介して更に連設された前後左右の折り返し片とを少なくとも備えた蓋の展開された周縁を描くことが好ましく、その前後又は左右の折り返し片に、前後又は左右の側壁に連続する連続部を構成する切り込みを形成することもできる。
【００１７】
別の本発明は、切取線が展開された蓋の周縁を描く上記箱用印刷用紙を用いた組箱の蓋の製造方法であって、その箱用印刷用紙に所定の印刷を行う印刷工程と、印刷後の箱用印刷用紙から切取線を切断して展開された蓋を分離させる分離工程と、分離された展開された蓋を組立てて天壁の周囲から天壁と直交して天壁を包囲する様に設けられた前後左右の側壁を有する蓋を得る組立て工程とを有する組箱の蓋の製造方法である。
【００１８】
ここで、印刷工程は、インクジェットプリンタ又はレーザプリンタにより行われることが好ましく、印刷工程において前後又は左右の側壁に連続する連続部を構成する切り込みが形成された箱用印刷用紙を用いた場合には、組立て工程において前後又は左右の折り返し片の切り込みにより包囲される一部を切り起こして前後又は左右の側壁と同一面においてその前後又は左右の側壁に連続する連続部を形成することができる。
【００１９】
更に別の本発明は、方形の天壁と、天壁の四側縁から折目を介して天壁と直交して天壁を包囲する様に設けられた前後左右の側壁と、前後左右の側壁の上縁から折目を介して前後左右の側壁に重合するように折り曲げられた前後左右の折り返し片とを備える組箱の蓋の改良である。
【００２０】
その特徴有る構成は、前後又は左右の折り返し片の一部が切り起こされて前後又は左右の側壁と同一面において前後又は左右の側壁に連続する連続部が形成されたところにある。
【発明の効果】
【００２１】
本発明の箱用印刷用紙は、所定の規格の外形を有する印刷可能な用紙本体を備えるので、印刷業者が使用するいわゆる専用の印刷機械を使用しなくても、一般の事務所や家庭に配置されているインクジェットプリンタやレーザプリンタに依る印刷ができ、少量の枚数の印刷であっても対応が可能となる。
【００２２】
そして、本発明の箱用印刷用紙は、展開された化粧箱又は蓋の周縁を描く切取線が描出されているので、その箱用印刷用紙へ所定の印刷を行った後に、その箱用印刷用紙から切取線を切断して展開された化粧箱又は蓋を分離させ、その後に組立てることにより、少量であっても、所望の印刷が成された化粧箱又は蓋を容易に得ることができる。
【００２３】
一方、贈答品を収容する箱が、上端開口部を有し、その上端開口部を介して贈答品が収容される箱部と、その箱部の上端開口部を覆う蓋とを有する組箱である場合において、蓋における前後又は左右の側壁に連続する連続部を形成すれば、その連続部を粘着テープ等を用いて箱部に貼付することにより、その側壁を覆うことなく粘着テープを用いて蓋を箱部に貼付することができる。
【図面の簡単な説明】
【００２４】
【図１】本発明実施形態の箱用印刷用紙を示す正面図である。
【図２】その用紙から得られた蓋を有する組箱の斜視図である。
【図３】その蓋の組立て状態を示す斜視図である。
【図４】その印刷用紙に印刷をする状態を示す斜視図である。
【図５】その用紙本体に切取線を付する状態を示す斜視図である。
【発明を実施するための形態】
【００２５】
次に本発明を実施するための最良の形態を図面に基づいて説明する。
【００２６】
図１に示すように、本発明の箱用印刷用紙１０は、所定の規格の外形を有するシート状の用紙本体１１に、展開された化粧箱又は蓋１２の周縁を描く切取線１３が描出されたことを特徴とする。図１には、用紙本体１１に、展開された蓋１２の周縁を描く切取線１３が描出された場合を示す。
【００２７】
所定の規格の外形とは、インクジェットプリンタやレーザプリンタ等で印刷可能な外形で有り、ＪＩＳ規格により定められたＡ３やＡ４などのＡ版サイズや、Ｂ４やＢ５などのＢ判サイズを示す。このＡ版やＢ版は、１：√２の白銀比で成り立ち、どこまで半分にしても同じ相似形の長方形となるものである。
【００２８】
用紙本体１１としては、例えば、上質紙、コート紙、再生紙等の各種紙材及びポリエチレン系樹脂、ポリプロピレン系樹脂、ポリエステル系樹脂、ポリカーボネート系樹脂、ポリスチレン系樹脂、アクリル系樹脂等からなる各種樹脂フィルムが挙げられる。尚、この用紙本体１１は、その後に切取線１３で包囲される中央部分が組立てられて化粧箱又は蓋として用いられることから、その化粧箱又は蓋の強度の耐えうるように、比較的厚いもの、例えば、１６０ｇ／ｍ2以上のもの、好ましくは１６０ｇ／ｍ2〜１８０ｇ／ｍ2のものを使用することが好ましい。
【００２９】
また、この用紙本体１１は、少なくともその片面が印刷されるものであるので、この用紙本体１１の印刷面には、その印刷に使用されるプリンタの種類に応じて印字層を形成してもよい。例えば、インクジェットプリンタであればインク受容層を、レーザープリンタであればトナー定着層を、感熱プリンタであれば感熱発色層又は感熱インク受容層等を形成すればよい。また、既に印字面を形成したインクジェット用紙、レーザープリンタ用紙、感熱紙等を用紙本体１１として用いてもよい。尚、上質紙、コート紙、再生紙等の各種紙材から成る用紙のように、用紙本体１１そのものが印字適性を有していれば特に印字層を形成しなくてもよい。
【００３０】
展開された化粧箱又は蓋１２とは、折り曲げて組立てることにより化粧箱又は蓋２２（図２）が得られるものであって、図示しないが、得られる化粧箱としては、贈答品等を収容する本体部に蓋が一体的に形成されたサック式の箱が例示される。けれども、化粧箱は、組立てられた状態で、贈答品を収容し得る限り、どのようなものであっても良い。
【００３１】
また、得られる蓋２２としては、図２に示すように、組箱２０の蓋２２が例示される。図２における組箱２０は、贈答品等を収容する為の開口部２１ａが上部に形成された箱部２１と、その箱部２１における開口部２１ａを塞ぐ蓋２２が別に設けられたものである。
【００３２】
けれども、比較的広い印刷面を得るためには、図１に示すように、展開させた蓋１２の外周を描く切取線１３を用紙本体１１に描出することが好ましい。そして、切取線１３は、打ち抜き型等により切断するものではなくて、人の手により切断可能なミシン目又はマイクロミシンであることが好ましい。
【００３３】
図１の拡大図に示す様に、ミシン目から成る切取線１３は、切り込み部１３ａが所定の間隔Ｐを開けて線状を成して連続して形成されたものであって、切り込み部１３ａと切り込み部１３ａの間の残存する部分を抜き型を用いることなく、人の手によって切断可能なものである。
【００３４】
そして、その切断をより容易にするために、切り込み部１３ａとその間隔Ｐをより小さくしたものがマイクロミシンから成る切取線１３である。このため、切取線１３がマイクロミシンから成る場合には、その切取線１３における切込部１３ａの長さＬは０．３〜０．５ｍｍであってその間隔Ｐは０．４〜０．７ｍｍであることが好ましい。このようなマイクロミシンから成る切取線１３であれば、切込部１３ａと切込部１３ａの間（Ｐ−Ｌ）が０．１〜０．２ｍｍ程度となって、人の手による切断が容易となる。
【００３５】
この用紙本体１１への切取線１３の形成は、図５に示すように、切込部１３ａ（図１）を形成する切断刃３が基台４に連続して設けられた刃型２を用いて製造することができる。例えば、その刃型２の上にＡ３サイズやＡ４サイズ等の所定の規格の外形を有する用紙本体１１を載置し、その上から上盤５を載せて、その上盤５と刃型２を図示しない機器により接近させて、用紙本体１１を刃型２に押し付けて、切断刃３により用紙本体１１を打ち抜く。これにより、図１に示す様に、展開された蓋１２の周縁を描くマイクロミシンの切取線１３を用紙本体１１に描出させることができる。
【００３６】
切取線１３により包囲される図１に示す展開された蓋１２は、方形の天壁２３と、その天壁２３の四側縁から折目２４ａ，２５ａ，２６ａ，２７ａを介して連設された前後左右の側壁２４，２５，２６，２７と、その前後左右の側壁２４，２５，２６，２７の上縁から折目３１ａ，３２ａ，３３ａ，３４ａを介して更に連設された前後左右の折り返し片３１，３２，３３，３４とを備えるものを示す。
【００３７】
図１では、前後左右の側壁２４，２５，２６，２７の長手方向の両端部を隣接する側壁２４，２５，２６，２７の端部に連続させる補強片３６が折目３６ａを介して形成され、前後の折り返し片３１，３２の左右両側から折目３７ａを介して巻き込み片３７がそれぞれ形成され、前後左右の折り返し片３１，３２，３３，３４の上縁から折目３８ａを介して更に重合片３８が形成された展開された蓋１２を示す。
【００３８】
そして、補強片３６には、その中央に折目３６ｂが更に形成され、側壁２４，２５，２６，２７の高さＨと折り返し片３１，３２，３３，３４の高さｈは略等しくなるように形成される。
【００３９】
また、展開された蓋１２が組箱２０の蓋２２（図２）を得るためのものであるこの実施の形態では、前後の折り返し片３１，３２に、前後の側壁２４，２５に連続する連続部３１ｂ，３２ｂを構成する切り込み３９がそれぞれ形成される。図１における切り込み３９は、前後の折り返し片３１，３２の長手方向の略中央において、側壁２４，２５と折り返し片３１，３２の間の折目３１ａ，３２ａを始点と終点とする円弧状に形成され、この切り込み３９と折目３１ａ，３２ａにより包囲された部分が連続部３１ｂ，３２ｂとされる。
【００４０】
従って、この組箱２０の蓋２２を組立てる際には、図３に示すように、天壁２３の周囲において立ち上げた前後の側壁２４，２５に前後の折り返し片３１，３２を更に折り返して重合させることになるけれども、その切り込み３９に包囲される連続部３１ｂ，３２ｂは前後の折り返し片３１，３２を折り返しても、折り返されずに切り込み３９により折り返し片３１，３２から分離し、側壁２４，２５と同一面に残存して、その側壁２４，２５に連続するものとなる。
【００４１】
このように、切取線１３により包囲される内側には、上記複数の折目や連続部３１ｂ，３２ｂを形成するための切り込み３９が形成されるけれども、図５に示すように、切取線１３としてのマイクロミシンを刃型２により形成する場合には、その刃型２に折目を形成する折目形成用片６や切り込み形成用刃７を基台４に取付けることにより、切取線１３の形成と共に、上記複数の折目や切り込み３９を用紙本体１１に同時に形成することが可能となる。
【００４２】
けれども、図示しないが、切取線１３を形成する刃型２と別に、上記複数の折目や連続部３１ｂ，３２ｂを形成するための押し型を別に準備し、刃型２を用いた切取線１３の形成と別に、その押し型を用いて複数の折目や切り込み３９を用紙本体１１に形成するようにしても良い。ここで、折目は、用紙本体１１を押しつぶして形成されたものであっても良く、比較的長い切り込みを連続して形成したものであっても良い。
【００４３】
また、図２に示すように、この組箱２０の蓋２２は、組立てられた状態で箱部２１の上端開口部２１ａを塞ぐようにその箱部２１に上方から被せられるものであるので、連続部３１ｂ，３２ｂの側壁２４，２５からの突出量Ｔは、箱部２１の周壁２１ｂの高さＭから側壁２４，２５の高さＨを減じた量よりも少なくなるように設定される。
【００４４】
次に、上記箱用印刷用紙を用いた組箱の蓋の製造方法を説明する。
【００４５】
本発明における組箱２０の蓋２２の製造方法は、組立てられた状態で組箱２０の蓋２２となるような周縁を描くマイクロミシンの切取線１３を用紙本体１１に描出させた上記箱用印刷用紙１０に所定の印刷を行う印刷工程と、印刷後の箱用印刷用紙１０から切取線１３を切断して展開された蓋１２を分離させる分離工程と、分離された展開された蓋１２を組立てて天壁２３の周囲からその天壁２３と直交してその天壁２３を包囲する様に設けられた前後左右の側壁２４，２５，２６，２７を有する蓋２２を得る組立て工程とを有する。
【００４６】
以下に各工程を詳説する。
【００４７】
＜印刷工程＞
この工程では、展開された蓋１２の周縁を描く切取線１３が用紙本体１１に描出された箱用印刷用紙１０に所定の印刷を行う。従って、先ず、箱用印刷用紙１０が準備される。この箱用印刷用紙１０は、所定の規格の外形を有する用紙本体１１に切取線１３が描出されたものであるので、この印刷は、図４に示すように、インクジェットプリンタ４２又はレーザプリンタにより行うことができる。
【００４８】
このインクジェットプリンタ４２やレーザプリンタは、所定の規格の外形を有する印刷用紙１０に写真やメッセージ等を印刷するものとして、パーソナルコンピュータを所有する一般家庭や事務所又は贈答品を販売する販売店等に広く設置されているものである。
【００４９】
このため、所定の規格の外形を有する用紙本体１１に切取線１３が描出された上記箱用印刷用紙１０を用いることにより、一般家庭や事務所や販売店におけるインクジェットプリンタ４２やレーザプリンタによる印刷が可能となり、例え１枚や２枚の少ない枚数であっても、その印刷を可能とするものである。
【００５０】
ここで、この実施の形態における展開された蓋１２は、その後組立てられて図２に示す様な組箱２０の蓋２２となるものであるので、この印刷工程においては、組立てられた状態で外部に表出する天壁２３のみならず、前後左右の側壁２４，２５，２６，２７にも所望の印刷を行うことができる。
【００５１】
この印刷の位置は、展開された蓋１２の周縁を描く切取線１３が用紙本体１１に描出されているので、その用紙本体１１の外形を基準にその印刷位置を容易に設定することができる。よって、上記蓋用印刷用紙１０を用いて印刷を行うことにより、組立てられた状態で外部に表出する天壁２３及び前後左右の側壁２４，２５，２６，２７の所望の位置に所望の印刷を行うことが可能となるのである。
【００５２】
＜分離工程＞
この工程では、印刷後の箱用印刷用紙１０から切取線１３を切断して展開された蓋１２を分離させる。ここで、切取線１３が所定の間隔Ｐを開けて線状を成して連続する切り込み部１３ａ（図１）から成るマイクロミシンであれば、従来から用いられている切断用の打ち抜き型を用いることなく、作業者又は販売員の手作業により、その切り込み部１３ａと切り込み部１３ａの間を切断することによりマイクロミシンから成る切取線１３を切断することが可能となり、少ない枚数であっても、容易に展開された蓋１２を分離させることができる。
【００５３】
＜組立て工程＞
この工程では、分離された展開された蓋１２を組立てて図２に示す組箱２０の蓋２２を得る。具体的に、図１に示す様に、展開された蓋１２は、方形の天壁２３と、その天壁２３の四側縁から折目２４ａ，２５ａ，２６ａ，２７ａを介して連設された前後左右の側壁２４，２５，２６，２７と、その前後左右の側壁２４，２５，２６，２７の上縁から折目３１ａ，３２ａ，３３ａ，３４ａを介して更に連設された前後左右の折り返し片３１，３２，３３，３４とを備える。
【００５４】
このため、図３に示す様に、それらの側壁２４，２５，２６，２７を、印刷が成されていない方向に立ち上げる。そして、側壁２４，２５，２６，２７の上縁に連設された前後左右の折り返し片３１，３２，３３，３４を同一方向に折り返して、それらの側壁２４，２５，２６，２７に内側から重合させる。
【００５５】
また、折り返し片３１，３２，３３，３４の上縁に更に連設された重合片３８にあっては逆方向に折り曲げて、折り返し片３１，３２，３３，３４を側壁２４，２５，２６，２７に重合させた状態でそれら重合片３８を天壁２３の周囲に重合させて、その周囲の強度を向上させる。
【００５６】
一方、側壁２４，２５，２６，２７の端部に連続して形成された補強片３６にあっては、前後左右の側壁２４，２５，２６，２７を天壁２３の周囲において立ち上げたときに二つ折りにして内側に入れ込み、前後の折り返し片３１，３２の左右両側から形成された巻き込み片３７にあっては、立ち上げた前後左右の側壁２４，２５，２６，２７に前後左右の折り返し片３１，３２，３３，３４を折り返して重合させる際に、隣接する側壁２４，２５，２６，２７と折り返し片３１，３２，３３，３４の間に進入させ、立ち上げられた側壁２４，２５，２６，２７が元に戻ることを防止する。
【００５７】
また、展開された蓋１２が組箱２０の蓋２２を得るためのものであるこの実施の形態では、前後の折り返し片３１，３２に、前後の側壁２４，２５に連続する連続部３１ｂ，３２ｂを構成する切り込み３９が形成されているので、この組箱２０の蓋２２を組立てる際には、天壁２３の周囲において立ち上げた前後の側壁２４，２５に前後の折り返し片３１，３２を更に折り返す際に、その切り込み３９に包囲される連続部３１ｂ，３２ｂを折り返し片３１，３２から分離し、側壁２４，２５と同一面に残存させて、その側壁２４，２５に同一面において連続させる。
【００５８】
従って、この組箱２０の蓋２２は、組立てられた状態で、少なくとも、印刷された方形の天壁２３と、天壁２３の四側縁から直交して天壁２３の印刷されていない側を包囲する様に設けられた前後左右の側壁２４，２５，２６，２７と、その前後左右の側壁２４，２５，２６，２７に内側から重合する前後左右の折り返し片３１，３２，３３，３４とを備えるものと成り、その前後の折り返し片３１，３２の一部が切り起こされて前後の側壁２４，２５と同一面において前後の側壁２４，２５に連続する連続部３１ｂ，３２ｂが形成された蓋２２となる。
【００５９】
このようにして得られた蓋２２にあっては、図２に示すように、贈答品を収容される箱部２１の上端開口部２１ａを覆う蓋２２として用いられ、箱部２１の上端開口部２１ａを覆う蓋２２を粘着テープ４１等を用いて箱部２１に貼付することにより、その組箱２０を更に包む包装を省くことが可能となる。図２及び図４では、天壁２３にのし紙風のデザインが印刷され、その組箱２０を更にのし紙において包装することを省く場合を示す。
【００６０】
この時、蓋２２における前後の側壁２４，２５に連続する連続部３１ｂ，３２ｂを粘着テープ４１を用いて箱部２１の周壁２１ｂに貼付することにより、その側壁２４，２５を覆うことなく粘着テープ４１を用いて蓋２２を箱部２１に貼付することができる。
【００６１】
よって、蓋２２の側壁２４，２５，２６，２７にまで写真やメッセージを印刷しても、その写真やメッセージが粘着テープ４１により覆われることはなく、蓋２２の側壁２４，２５，２６，２７にまで印刷をすることが可能となるのである。
【００６２】
以上詳述した通り、本発明の組箱２０の蓋２２の製造方法は、展開された蓋１２の周縁を描く切取線１３が描出された箱用印刷用紙１０に所定の印刷を行った後に、その切取線１３を切断して展開された蓋１２を分離させて組立てるものであるため、専用の印刷機械を使用して所望の印刷が成されたシート状の印刷物を所定の抜き型で打ち抜いて箱を形成する従来の製造方法と異なり、家庭や事務所や販売店において、小ロットであっても、所望の印刷が成された化粧箱や組箱２０の蓋２２を得ることが可能となるのである。
【００６３】
なお、上述した実施の形態では、円弧状の切り込み３９を入れて連続部３１ｂ，３２ｂを形成したけれども、側壁２４，２５に連続する連続部３１ｂ，３２ｂを形成しうる限り、切り込み３９は円弧状に限られない。例えば、方形状の連続部３１ｂ，３２ｂを得るために、折目３１ａ，３２ａからコ字状の切り込み３９を入れるようにしても良い。
【００６４】
また、上述した実施の形態では、展開された蓋１２の周縁を描く切取線１３が描出された箱用印刷用紙１０を説明したけれども、これに限られずに、図示しないが、ものを収容する本体部に蓋が一体的に形成されたサック式の化粧箱を展開し、その展開された化粧箱の周縁を描く切取線１３を用紙本体１１に描出するようにしても良い。
【００６５】
また、上述した実施の形態では、前後の折り返し片３１，３２に、前後の側壁２４，２５に連続する連続部３１ｂ，３２ｂを構成する切り込み３９が形成される場合を説明したけれども、これに限られずに、左右の側壁２６，２７に連続する連続部を構成する切り込み３９を左右の折り返し片３３，３４に形成しても良い。
【００６６】
また、上述した実施の形態では、天壁２３にのし紙風のデザインが印刷される場合を説明したけれども、印刷するデザインはこれに限られずに、どのようなものであっても良く、写真を印刷するようにしても良い。
【００６７】
更に、上述した実施の形態では、マイクロミシンから成る切取線１３を刃型２を用いて形成される場合を説明したけれども、人の手による切断が可能な切取線１３を形成し得る限り、刃型２を用いることなく、この切取線１３はレーザカッタ等により形成されるミシン目やマイクロミシンであっても良い。
【符号の説明】
【００６８】
１０  箱用印刷用紙
１１  用紙本体
１２  展開された蓋
１３  切取線
２２  蓋
２３  天壁
２４，２５，２６，２７  側壁
２４ａ，２５ａ，２６ａ，２７ａ  折目
３１，３２，３３，３４  折り返し片
３１ａ，３２ａ，３３ａ，３４ａ  折目
３１ｂ，３２ｂ  連続部
３９  切り込み
【図１】
2020019487.tif 000003
【図２】
2020019487.tif 000004
【図３】
2020019487.tif 000005
【図４】
2020019487.tif 000006
【図５】
2020019487.tif 000007